(57)【要約】  本発明は、携帯型対話用表示システムに関しており、例えば、マルチメディアのプレゼンテーションを利用した宣伝に使用することができる。従来の携帯型表示システムは、効果ある方法で、表示装置による聴衆との対話（情報交換）が実現できなかった。本発明の装置は、表示装置（７０）がビデオ画像を表示している間、一般的な支持フレーム（２０）により、人体に搭載するように設定されている。運搬袋（４０）は、メディア生成手段を収納している。上記表示システムがどこにあろうとも、入力装置は、ビデオゲームを再演し、ソフトウェアアプリケーションを使用して、この表示システムにより、聴衆との対話ができるようにする。
2007513369.tif 000002
【特許請求の範囲】
【請求項１】
オペレータが運搬し、操作するように準備されている携帯表示システムであって、
ａ）出力メッセージを表示することができる表示装置、
ｂ）前記表示装置に接続され、出力メッセージを生成することができるメディア生成手段、
ｃ）前記携帯表示システムに電力を提供することができるパワー供給手段、
ｄ）前記メディア生成手段および前記パワー供給手段を輸送するのに適しており、前記オペレータが運搬するのに適している輸送手段であって、
（ｉ）支持フレーム、
（ii）複数の固定手段
を含む輸送手段、および
ｅ）前記メディア生成手段に接続され、前記オペレータとは異なるユーザからの入力命令を生成する命令手段、を具備し、
前記表示装置により表示され、かつ前記メディア生成手段により生成される前記出力メッセージは、前記入力命令が生成されると対話的に変更可能である携帯表示システム。
【請求項２】
前記輸送手段が、さらに
ａ）前記支持フレームに固定して搭載される底部支持手段、
ｂ）前記支持フレームに固定して搭載される運搬用袋、
を含むことを特徴とする請求項１に記載の携帯表示システム。
【請求項３】
前記輸送手段が、さらに
ａ）第１の端部と第２の端部とを有する細長い支持部材であって、前記第２の端部は前記支持フレームに固定して取り付けられている細長い支持部材、
ｂ）前記表示装置を、前記細長い支持部材の第１の端部に取り付けるための搭載手段、を含むことを特徴とする請求項１に記載の携帯表示システム。
【請求項４】
前記輸送手段が、さらに
ａ）第１の端部と第２の端部とを有する細長い支持部材であって、前記第２の端部は前記底部支持手段に固定して取り付けられている細長い支持部材、
ｂ）前記表示装置を、前記細長い支持部材の第１の端部に取り付けるための搭載手段、
を含むことを特徴とする請求項２に記載の携帯表示システム。
【請求項５】
前記表示装置が液晶表示装置（ＬＣＤ）のスクリーンである請求項１、３または４のいずれか一項に記載の携帯表示システム。
【請求項６】
前記メディア生成手段がメディア処理手段を含む請求項１に記載の携帯表示システム。
【請求項７】
前記メディア生成手段がさらにデジタル・メディアプレーヤーを含む請求項６に記載の携帯表示システム。
【請求項８】
前記メディア生成手段が、
ａ）デジタル・メディアプレーヤー、
ｂ）メディア処理手段
を含む請求項１に記載の携帯表示システム。
【請求項９】
前記デジタル・メディアプレーヤーが、デジタル多用途ディスク（ＤＶＤ）プレーヤーである請求項７または８に記載の携帯表示システム。
【請求項１０】
前記メディア処理手段が、ゲームコンソールである請求項６または８に記載の携帯表示システム。
【請求項１１】
前記メディア処理手段が、携帯用コンピュータである請求項６または８に記載の携帯表示システム。
【請求項１２】
前記命令手段が、前記ゲームコンソールに有線または無線で接続されるゲーム用入力装置（game pad）である請求項１０に記載の携帯表示システム。
【請求項１３】
前記命令手段が、前記携帯用コンピュータに有線または無線で接続されるゲーム用入力装置である請求項１１に記載の携帯表示システム。
【請求項１４】
前記命令手段が、前記ゲームコンソールに有線または無線で接続されるジョイスティックである請求項１０に記載の携帯表示システム。
【請求項１５】
前記命令手段が、前記携帯用コンピュータに有線または無線で接続されるジョイスティックである請求項１１に記載の携帯表示システム。
【請求項１６】
前記命令手段が、前記ゲーム用コンソールに無線で接続されるリモートコントロールである請求項１０に記載の携帯表示システム。
【請求項１７】
前記命令手段が、前記携帯用コンピュータに無線で接続されるリモートコントロールである請求項１１に記載の携帯表示システム。
【請求項１８】
前記命令手段が、前記携帯用コンピュータに有線または無線で接続されるジャイロスコープのマウスである請求項１１に記載の携帯表示システム。
【請求項１９】
前記命令手段が、前記携帯用コンピュータに有線または無線で接続されるキーボードである請求項１１に記載の携帯表示システム。
【請求項２０】
前記命令手段が、前記携帯用コンピュータに有線または無線で接続されるタッチスクリーンである請求項１１に記載の携帯表示システム。
【請求項２１】
前記ゲーム用コンソールをコンピュータネットワークに接続する無線通信手段をさらに含む請求項１０に記載の携帯表示システム。
【請求項２２】
前記携帯用コンピュータをコンピュータネットワークに接続する無線通信手段をさらに含む請求項１１に記載の携帯表示システム。
【請求項２３】
前記無線通信手段が、無線周波（ＲＦ）通信システムである請求項２１に記載の携帯表示システム。
【請求項２４】
前記無線通信手段が、セルラー通信システムである請求項２１に記載の携帯表示システム。
【請求項２５】
前記無線通信手段が、Ｗｉ-Ｆｉ通信システムである請求項２１に記載の携帯表示システム。
【請求項２６】
前記無線通信手段が、無線周波（ＲＦ）通信システムである請求項２２に記載の携帯表示システム。
【請求項２７】
前記無線通信手段が、セルラー通信システムである請求項２２に記載の携帯表示システム。
【請求項２８】
前記無線通信手段が、Ｗｉ-Ｆｉ通信システムである請求項２２に記載の携帯表示システム。
【請求項２９】
前記携帯表示システムが、さらに前記メディア生成手段に接続する音響生成手段を含む請求項１または２に記載の携帯表示システム。
【請求項３０】
前記音響生成手段に接続するスピーカをさらに含む請求項２９に記載の携帯表示システム。
【請求項３１】
前記スピーカを、前記支持フレームに取り付ける請求項３０に記載の携帯表示システム。
【請求項３２】
前記スピーカを、前記底部支持手段に取り付ける請求項３０に記載の携帯表示システム。
【請求項３３】
前記メディア生成手段に接続するショートメッセージサービス（ＳＭＳ）およびマルチメディアメッセージサービス（ＭＭＳ）のインタフェース手段をさらに含む請求項１に記載の携帯表示システム。
【請求項３４】
前記運搬用袋は、剛体材料から製作される殻である請求項２に記載の携帯表示システム。
【請求項３５】
前記剛体材料は、硬いプラスチックである請求項３４に記載の携帯表示システム。
【請求項３６】
ａ）第１の端部と第２の端部とを有する望遠鏡用ポール、
ｂ）前記望遠鏡用ポールの第１の端部に前記表示装置を取り付ける搭載手段、
をさらに含む携帯表示システムであって、
前記望遠鏡用ポールは、前記オペレータが前記表示装置を運搬するかまたは前記表示装置を地面にて支持するために、使用することができる請求項１に記載の携帯表示システム。
【請求項３７】
ａ）第１の端部と第２の端部とを有する望遠鏡用ポール、
ｂ）前記望遠鏡用ポールの第１の端部に前記表示装置を取り付ける搭載手段、
をさらに含む携帯表示システムであって、
前記望遠鏡用ポールは、前記オペレータが前記表示装置を運搬するかまたは前記表示装置を地面にて支持するために、使用することができる請求項２に記載の携帯表示システム。
【請求項３８】
前記表示装置がプロジェクタである請求項３６または３７に記載の携帯表示システム。
【請求項３９】
ａ）前記固定手段を使用して、前記フレーム支持体を前記オペレータに取り付けること、
ｂ）前記携帯表示システムを、前記オペレータが装着すること、
ｃ）聴衆には、複数の潜在的なユーザを含み、前記オペレータは、前記聴衆に向けて歩行すること、
ｄ）前記オペレータが、前記命令手段を前記ユーザの１人に手渡しすること、
ｅ）前記命令手段を使用して、前記ユーザは、入力メッセージを前記メディア生成手段へ送信すること、
ｆ）前記命令手段を使用して、前記ユーザにより送信されてきた前記入力メッセージに従って、前記メディア生成手段は、前記表示装置への出力メッセージを生成すること、および
ｇ）前記表示装置は、前記出力メッセージを表示すること、
からなる請求項１に記載の携帯表示システムを使用する方法。
【発明の詳細な説明】
【技術分野】
【０００１】
本発明は、携帯用対話表示システムに関するものである。本発明のシステムは、例えば、視聴覚によるプレゼンテーションを実行する宣伝用として使用することができる。また、デジタル画像ファィル、デジタルビデオファィル及び/又はデジタル音響ファィルを利用するアプリケーションとしても使用することができる。
【背景技術】
【０００２】
宣伝を実施する方法は、現時点多数存在する。最も一般的で、多く行われる宣伝方法は、掲示板や看板による方法が挙げられる。掲示板等は、多くの人々が訪れる場所に掲示される。これらの宣伝方法は、有効な方法であるが、大きなスペースを必要とする重大な欠点を有している。このため、エリアが飽和する以前に設置できた掲示板や看板は、設置数が制限されるようになっている。さらに、古い宣伝を新しい宣伝に置き換えるとき、掲示板や看板は、宣伝内容を交換するために大幅な努力が往々にして必要とされる。
【０００３】
他の利用頻度の低い宣伝方法に、衣服に装着する看板がある。これは、看板を装着したオペレータが、人通りの多いエリアを持ち運びすることである。この方法は、通常の掲示板や看板が抱えているスペース問題のいくつかを解決してくれる。しかし、装着する看板は、装着者にとって、しばしば快適なものではない。さらに、装着する看板の表示内容はまだ固定的で、新しい宣伝が要求されたとき、交換が必要となる。
【０００４】
最近、技術が進歩し、小型化の技術も発展してきたので、いくつかの携帯用電子装置が利用できるようになっている。このような種類の電子装置には、携帯電話からパーソナル・コンピュータまでが、装置の範囲に含まれ、人体に装着することが可能である。このような種類の装置の例は、例えば、米国特許6,140,981号明細書（Kuenster 他 の発明）および米国特許6,057,966号明細書（Carroll 他 の発明）に見ることができる。
【０００５】
また、衣服の上に、ビデオ画像をはめ込む試みも存在する。例えば、米国特許5,912,653号明細書（Stephan J.Fitchの発明）が参照できる。この装置は、人体の上で画像を変化させることができるが、大きな寸法の宣伝には利用することができない。これは、衣服が破れないように、重量を低減しなければならないからである。
【発明の開示】
【発明が解決しようとする課題】
【０００６】
従来技術からも知ることができるように、大きなスケールの宣伝に使用することができ、かつ視聴覚によるプレゼンテーションにも使用することができる携帯用対話表示装置のニーズが存在する。
【課題を解決するための手段】
【０００７】
対話表示システムは、通常受動的な聴衆を能動的な聴衆に変化させる。対話表示システムがどこにあろうと、ユーザは、ビデオゲームをプレイするかまたはソフトアプリケーションを使用するのに、対話表示システムを利用することができる。
【０００８】
さらに詳しく言えば、対話表示システムは、以下を含む。
(1) 表示装置（視覚用メディア）：耐候性があり、日向でも見える表示平面型ＬＣＤである。
(2) メディア生成手段（有力なメディア）：ＤＶＤプレーヤーの装備により、高精細ビデオコンテンツの再生および遠隔からの選択/制御が可能となる。ビデオゲーム・コンソールまたは携帯型コンピュータの装備により、移動中でのビデオゲームやソフトウェアアプリケーションの実施が可能となる。
(3) 命令手段（対話用メディア）：追加された赤外線通信リンクを利用したリモートコントロール（トラック交換、音量等）の標準命令で、ＤＶＤプレーヤーと対話することができる。表示システムのバックパック（backpack）に搭載されているゲーム用コンソールに、有線または無線でリンクしているゲーム用入力装置（game pad）を使用することにより、ビデオゲームと対話することができる。空中での動きに対応するジャイロスコープのマウス、および、表示システムのバックパックに搭載されているコンピュータにリンクしている無線用キーボードを使用することにより、ソフトウェアアプリケーションと対話することができる。
(4) 無線通信手段（無線用メディア）：
・ネットワーク接続：セルラー（cellular）またはＷｉ-Ｆｉアクセス・ポイントを介して、インターネット/ＬＡＮ/ＷＡＮに無線接続する。
・ローカル接続：表示システム内で、ユーザまたは聴衆が使用する対話用ツール（ゲーム用入力装置、マウス、キーボード、リモートコントロール）に無線接続する。
(5) 音響システム（音響用メディア）：音量調整付きの高品質のステレオ音響システムを有す。
(6) オペレータ（人的メディア）：製品のサンプリング、関連資料配布、ライブ参加、人との対話を行う。オペレータは、知的シナリオを理解できる人である。
(7) 表示システム（ノマディック（nomadic）メディア）：目標地点に、指定時間に聴衆を到着させるように移動する。
【発明を実施するための最良の形態】
【０００９】
一態様を図１に示すように、本発明は、携帯用対話表示システム１０に関するものである。携帯用対話表示システム１０は、底部支持手段３０が搭載される一般的な支持フレーム２０、および運搬用袋４０を含む。中空筒５０のような支持部材が、底部支持手段３０の一方の端部に取り付けられる。中空筒５０の他の端部には、接続手段６０が搭載されており、この接続手段は、表示装置７０を中空筒５０に取り付けるのに使用される。
【００１０】
運搬用袋４０は、ケーブル手段８０により表示装置７０に接続されるメディア生成手段（下記説明、参照）を収納する。このケーブル手段は、画像を表示することができる表示装置７０に、メディア生成装置が生成された画像を送信することを可能にする。
【００１１】
図２に示すように、一般的な支持フレーム２０は、通常鋼板部材として垂直方向に延びる胴体からなっており、またはオプションとして、上側のバーと下側のバー（図示されていない）により支えられる２つの水平バーを含む構造として製作される。一般的な支持フレーム２０は、またストラップ１００、１０２を有し、このストラップは、一般的な支持フレーム２０を人体に固定するのに使用することができる。
【００１２】
図１において、一般的な支持フレーム２０は、人体の自然の曲線にフィットさせるのに適した曲線をいかに有することができるかを示している。このことは、装置を運搬するときに、非常に大きな快適性をもたらす。
【００１３】
バックパック４０は、硬いプラスック材から製作することができ、バッテリー、メディア生成手段（例えば、コンピュータゲーム・システム、インターネット通信手段を有するコンピュータ、ＤＶＤプレーヤー、または携帯用コンピュータ）およびスピーカを収納することができる。バックパック４０の内容物の一実施例を、図３、４および図１１に概略的に見ることができる。メディア生成手段１１０は、自身が読み出せる格納手段に記憶されたビデオプログラムを基にして画像を生成することができる。また、メディア生成手段１１０は、表示装置７０に、対話式のインタフェースを提供する手段を有する。この対話式のインタフェースとは、インターネット、ビデオゲーム、ローカルなソフトウェアアプリケーション、ネットワークアクセス、ショートメッセージサービス（ＳＭＳ）およびマルチメディアメッセージサービス（ＭＭＳ）等のインタフェースが該当する。
【００１４】
図３、図６において、メディア生成手段１１０は、表示装置７０およびスピーカに接続される。この接続により、メディア生成手段１１０は、格納手段（例えば、ＤＶＤディスクまたはＭＰＥＧ−２ファィル）からのビデオプログラムを表示装置７０で再生でき、インターネットサービス、ビデオゲームまたは対話用ソフトウェアのためのインタフェースを提供することができる。さらに、メディア生成手段１１０は、スピーカ１２０を使用して、音を再生することもできる。また、このスピーカ１２０は、底部支持手段３０の両サイドの端部に置くことができる。
【００１５】
また、バックパック４０は、バッテリー１３０、または、スピーカ１２０および表示装置７０に給電するためのいくつかの他の電源を収納する。メディア生成手段１１０は、自身のための内部電源を有するか、またはバッテリー１３０により給電することができる。
【００１６】
図４および図５に示す別の実施例では、中空筒５０と表示装置７０とは、望遠鏡用ポール１４０とプロジェクタ１５０とに置き換えることができる。この実施例では、バックパック４０に収納されているメディア生成手段は、プロジェクタ１５０を使用して、聴衆に見せるための画像を投射するか、または、上記したように、メディア生成装置により提供される対話機能の表示用インタフェースとして単に動作することになる。プロジェクタ１５０は望遠鏡用ポール１４０に搭載することができるので、オペレータ１６０はプロジェクタ１５０を運ぶことができ、または、望遠鏡用ポール１４０を介して地面の上にてプロジェクタを支えることができる。
【００１７】
図５は、プロジェクタ１５０を使用する場合で、バックパック４０の中身を図式的に示した図である。この実施例では、バックパック４０は、メディア生成手段１７０を収納することができ、このメディア生成手段は、コンピュータゲーム・システム、インターネット通信手段を有するコンピュータ、ＤＶＤプレーヤー、携帯型コンピュータ等が該当する。メディア生成手段１７０は、例えばＤＶＤディスク、またはビデオファィルのような格納手段に記憶されているビデオプログラムを基にして画像を生成する。または、メディア生成手段１７０は、インターネットサービス、ビデオゲーム、対話用ソフトウェアのための対話用インタフェースを表示させるまたは実現するための手段を、プロジェクタ１５０に提供することができる。メディア生成手段１７０は、上記により生成された画像をプロジェクタ１５０から投射できるように、プロジェクタ１５０に接続される。
【００１８】
さらに、メディア生成手段１７０は、自身で生成した音響要素を１組のスピーカ１８０で再生できるように、上記スピーカに接続される。
【００１９】
また、バックパック４０は、プロジェクタ１５０とスピーカ１８０に給電するための１組のバッテリー１９０を収納することができる。メディア生成手段１７０は、分離した電源を有するか、またはバッテリー１９０に接続することができる。また、ＡＣ電源で駆動されるプロジェクタを使用するとき、バックパック４０は、ＤＣーＡＣコンバータ２００を収納することができる。
【００２０】
対話用インタフェースを提供する表示装置１０の一実施例について、より詳細に、図９、１０および図１１に示す。この実施例は、図１，３、６、７および図８で示す表示装置７０に接続されるメディア生成手段１１０を示している。しかし、図４、５の実施例で記述したメディア生成手段１７０やプロジェクタ１５０を使用することもできる。
【００２１】
オペレータ１６０は、表示システム１０を運搬し、ユーザ２１０が表示装置７０に表示されている何かにアクセスできるように、位置を保持する。図９〜１１に示す実施例では、表示装置７０は、オペレータ１６０の頭上で中空筒５０に取り付けられていて、ユーザ２１０に、対話用インタフェースを有するビデオゲームを表示している。このときのメディア生成手段１１０は、ビデオゲーム・コンソールであり、このコンソールは、バックパック４０に保管されている。ユーザ２１０は、命令手段２２０を用いて、このコンソールでプレイする。
【００２２】
表示システム１０のメディア生成手段１１０と通信を行う命令手段２２０は、幅広い種類の装置の中から選択することができる。このような装置には、リモートコントロール、ゲーム用入力装置、キーボード、マウス、タッチスクリーン、ジョイステイック、電話機またはマイクロフォンが該当する。また、命令手段２２０は、有線技術２３０（図９参照）または、セルラー/携帯リンクおよびＷｉ−Ｆｉ(IEEE 802.11b)リンク等のリンクを含む無線技術（図１０参照）、赤外線リンク（ＩＲ）および無線周波（ＲＦ）リンクを介して、メディア生成手段１１０と通信することができる。ＩＲリンクは、一般に信号を送信するための構成要素として視野方向が要求されるが、ＲＦリンクは、一般に視野方向は要求されず、バックパック４０の布地または素材を通過することができる。
【００２３】
図１２は、表示システム１０が、種々のコンポーネントや種々の機能にアクセスするために、表示システム１０を使用するユーザと、どのようにして対話的に一体化するかを図式的に説明している。有線技術２３０、無線技術２４０および無線通信手段２５０を介して、バックパック４０で運搬されるメディア生成手段１１０を対話的に操作できるように、命令手段２２０がユーザ２１０に提供される。そして、メディア生成手段１１０は、命令手段２２０を介して、ユーザ２１０から伝達される入力命令に対応する出力手段として、表示装置７０を使用する。表示装置７０上に生成された出力メッセージにアクセスするために、ユーザ２１０は、別の入力命令およびその他で、応答することができる。入力命令/出力メッセージの手順（sequences）は、ユーザ２１０と表示システム１０との間での対話活動を生成する。
【００２４】
オペレータ１６０（図９、１０参照）は、ユーザ２１０と表示システム１０との間での対話活動の間、オペレータもまたリアルタイムで対話活動に参加できるように表示システム１０を持ち運ぶ。例えば、オペレータ１６０は、表示システム１０を移動させるか、または、適切な位置に置くことができる。また、オペレータは、表示システム１０の音響や画像を調整し、ユーザ２１０に話しかけたり、ユーザ２１０を補助したり、ユーザ２１０に情報またはアドバイスを与えたりする。
【００２５】
この結果、命令手段２２０を使用して、ユーザは、表示システム１０を対話的に使用する。ユーザは、ビデオゲームをプレイし、インターネットで波乗り（surf）し、ローカルなソフトウェアアプリケーションにアクセスし、またはネットワークにアクセスする。または、ユーザは、ショートメッセージサービス（ＳＭＳ）およびマルチメディアメッセージサービス（ＭＭＳ）を使用し、表示システム１０を使用している別のユーザ２１０と通信し、さらに、表示装置７０/メディア生成手段１１０の技術に対応する装置を有するかまたはアクセス機能を有するユーザと通信を行う。表示システム１０により提供されるこれらの対話的なアプリケーションを、さらに以降でも説明する。
【００２６】
ビデオゲームのようなソフト製品の開始と進展は、表示システム１０により、公衆の場所で移動しながら実施することができる。ビデオゲームを小売りする大部分の人は、他者等に対して、１つのゲームまたは１つのゲーム用システムの販売促進に役立っていない。個々のブランド品は、任意の固定した場所で実地説明され、店内に並ばれて、店内に入った人のみに展示されるようになっている。表示システム１０を利用すると、ゲームの販売元や製造元は、ターゲットとなる聴衆と接触することができ、別のオプションを提供しなくてもよい場所で、ターゲットまたは選択したゲームを、聴衆にプレイさせることができる。表示システム１０は、最も好評なゲームの技術を活かして、ゲームの機能を援助することになるアダプターやアプリケーションを発展させることに活用できる。
【００２７】
また、バックパック４０内に収納されたコンピュータで動作するローカルなソフトウェアアプリケーションは、表示システム１０によって提供することができる。デザイン会社の販売するソフトウェア製品は、表示システム１０内の小型携帯用コンピュータおよび無線のマウス/キーボードを使用して、顧客にソフトウェアアプリケーションを実施説明するか、または製品を売り込むことを期待することができる。この売り込みは、見本市および個人的な打ち合わせの環境における企業間電子商取引（business-to-business）の促進にとって、興味深いものとなるであろう。また、表示システム１０で使用される無線のマウス/キーボードは、空中におけるジャイロスコープの動きで対応することができるので、上記ユーザ２１０は、表示装置７０の前に立って、操作するための机を必要としないでアプリケーションを制御することが可能である。
【００２８】
表示システム１０の他のアプリケーションは、ネットワークアクセスに関わることである。ネットワークアクセスのアプリケーションは、無線技術、インターネットおよびインターネット・アプリケーションからなる。表示システム１０を介するネットワークアクセスのアプリケーションと考えられる実施例は、ＰＣカード（シエラ社製無線用エアーカード等）およびＷｉ−Ｆｉ（すなわち、802.11b）を含む。後者は、多くの新規のラップトップ型コンピュータに既に含まれている。ＰＣカードは、セルラー/携帯電話のネットワークと同一の範囲をカバーしており、したがって、低速通信（60−120Kbps）で、ほとんどの場所で接続することができる。Ｗｉ−Ｆｉは、高速通信（10Mbps）を提供しているが、しかしＷｉ−Ｆｉ局が配置されている場所だけで有効である。配置されている場所は、コンベンションセンタ、大学のキャンパスおよびホテル等である。例えば、コンベンションセンタに置かれた表示システム１０内に含まれるこれらのネットワークアプリケーションは、中央制御室またはウェブサイトから生放送で最新情報を与えるテロップ（tickers）を表示させながら、オペレータ１６０のチームと表示システム１０を備えた各装備とを、フローア内で移動させることができる。
【００２９】
表示システム１０の別のアプリケーションは、ショートメッセージサービス（ＳＭＳ）およびマルチメディアメッセージサービス（ＭＭＳ）を、ユーザ２１０に提供することを含むことである。ＳＭＳは、２〜３年の間、使用され、無線技術の能力増加に利用されている。ＭＭＳは、大部分のネットワークオペレータが提供する無線に追加され、現在新規のデジタルマルチメディア携帯電話で使用することができる。ＳＭＳとＭＭＳは、表示システム１０が提供できる２つの無線ネットワークアプリケーションである。表示システム１０は、ユーザ２１０が使用する電話（命令手段２２０）と表示装置７０との間で通信ができるようにするため、２つの間での交換を確保するインタフェースとしてメディア生成手段１１０を使用する。
【００３０】
また、ユーザ２１０は、他の場所で表示システム１０を使用している他のユーザと通信することができ、または、表示装置７０/メディア生成手段１１０の技術に対応する装置を有するかまたはアクセス機能を有するユーザと通信することができる。通信の際に、無線通信手段２５０、携帯用コンピュータのようなメディア生成手段、電話機やマイクロフォンのような命令手段２２０、および表示装置７０を使用する。
【００３１】
本発明の他の態様において、本発明は、家庭外視聴者用の視聴覚提供方法からなる以下のことを含む。
ａ）下記能力を与えるノマディック（nomadic）技術〔時間、場所に拘束されない情報交換技術〕の使用、
ａ．移動しながら、視聴覚的内容を提供すること、
ｂ．プレゼンテーションする時点を目標とすること、
ｃ．視聴覚的内容を提供する地理的エリアや現地を目標とすること、
ｄ．ノマディック技術を有するユーザに対話手段を提供すること、
ｂ）下記能力を提供する視聴覚用設備を装着する人、
ｉ）プレゼンテーションする時間と場所とを即座に変更すること、
ii）言葉または手まねで、聴衆と対話すること、
iii）通行者に、営業促進用物品を直接配布または手渡すこと、
iv）ノマディック技術の対話的使用に反応すること、
ｃ）下記を可能にする営業上使用できる装備の使用、
１．ＭＰＥＧ-２符合化フォーマットで、現存する宣伝品質とマルチメディア・コンテンツを再製作すること、
２．市販のＤＶＤプレーヤーで読み出すことができるＤＶＤから再生すること、
３．市販の携帯用コンピュータで動作することができるソフトウェアアプリケーションから再生すること、
４．テレビまたはコンピュータの画面に適合する視覚的コンテンツを表示すること、
５．テレビまたはコンピュータの画面用視覚的コンテンツを投射すること、
６．ビデオゲームを表示すること、
７．インターネットサービスを表示すること、
８．対話用のソフトウェアアプリケーションおよびネットワークアクセスを表示すること、
９．対話用のショートメッセージサービス（ＳＭＳ）およびマルチメディアメッセージサービス（ＭＭＳ）を表示すること、
１０．異なったユーザ間の対話用通信を表示すること、
１１．対応する技術を備えているユーザとの対話用通信を表示すること、
【００３２】
本発明の別の態様では、本発明は、装着できるノマディック技術であり、以下のことを含む。
ａ）以下のことを含み、各々の特定活動にカスタマイズを可能にし、かつ、特定イベントまたは製品ブランドのために統一化を促進させる衣装、
ｉ）バックパックの紐を隠すためにデザインされた長いトレンチコート、
ii）丸い形状の帽子、
iii）トレンチコートの下に着用するパンツ、
iv）半透明のマスクと手袋、
ｂ）以下の特徴を有する反Ｔ型のアルミニウム構造の頂上にあり、人の頭上に位置するビデオモニター、
ｉ）直射日光１で見えるような適切な寸法のＬＣＤ表示装置、
ii）防水保護のため、米国ＮＥＭＡ規格（ＮＥＭＡ  ４Ｘ）による密閉ケーシング、
iii）互換性のあるビデオ入力：標準ＶＧＡ/ＳＶＧＡ/ＸＧＡ、コンポジットビデオ、Ｓビデオ、
iv）分解能：望ましくは、８００ピクセル×６００ピクセルで、１２８０ピクセル×１０２４ピクセルまでの分解能、
ｖ）画面上でのビデオ調整用メニュ：位置、サイズ、輝度、コントラスト等、
ｃ）下記のことを含み、硬いプラスチック材から製作されるモニター配置用バックパック、
ｉ）アルミニウム管から製造された反Ｔ型構造、
ii）低電圧ＤＣ音響用アンプ（例えば、１０ワット）、および水平方向の管の両端になるように、人物の腰の両サイドに設置される２つのスピーカ（例えば、１０ワット）、
iii）可能な限り軽い重量である１つ以上のバッテリー、および低電圧のＤＣ安定化電源、
iv）市販タイプの携帯用ＤＶＤプレーヤー、ビデオゲーム・コンソール、またはウィンドウズ（登録商標）と互換性を有する携帯用コンピュータ（各製品が外部への音響出力ポートとビデオ出力ポートとを有する)、
ｖ）表示システムと通信をするための通信手段、
ｄ）人によって異なる高さ、異なる場所に保持することができる望遠鏡用ポールの上に立ち、以下の特徴を備えたビデオプロジェクタ、
ｉ）ＬＣＤプロジェクタ、
ii）非常に軽い重量、
iii）製品分解能：正確なＸＧＡ１２８０ピクセル×７６８ピクセルまたはそれ以上、
iv）データ互換性：標準ＶＥＳＡモードの全て、ＶＧＡ，ＳＶＧＡ、ＸＧＡ、および８５ＨｚのＳＸＧＡ、
ｖ）ビデオ互換性：フルＮＴＳＣ（Ｍ 4.43）、ＰＡＬ（ＢＧＨＩ、Ｍ，Ｎ）、ＳＥＣＡＭ（Ｍ）、ＨＤＴＶ（７２０ｐおよび１０８０ｉＲＧＢＨＶ）、
ｅ）以下のことを含むような硬いプラスチック材から製作されるモニター配置用バックパック、
ｉ）バックパックの底部に、水平にして取り付けられる軽量の管、
ii）低電圧のＶＤＣ音響アンプ、および人の腰の両側に設置される２つのスピーカ、
iii）できる限り軽量な１つ以上のバッテリー、およびＤＣ−ＡＣコンバータ、
iv）両方が、外部用の音響出力ポート、ビデオ出力ポートおよび自身のバックパックを必要としている市販型携帯用ＤＶＤプレーヤー、またはウィンドウズ（登録商標）と互換性ある携帯用コンピュータ、
【００３３】
本発明を、種々の実施例に関連して記述してきたが、未だ記述されていない変形例および変更例が存在することは、当業者にとって明白であろう。また、上記までの記載は、本発明の実例を説明する目的のものであって、記載内容によって本発明の範囲が限定されるものではない。
【図面の簡単な説明】
【００３４】
【図１】本発明による携帯用対話表示システムの一実施例を示す側面図である。
【図２】図１に示した本発明の実施例による支持体構造の前面観を示す図である。
【図３】図１の実施例でのバックパック内部を示す図である。
【図４】本発明による第２の実施例を示す図である。
【図５】図４の実施例でのバックパック内部を示す図である。
【図６】図１に示した本発明の実施例を示す図である。
【図７】図１に示した実施例の発明を、表示装置無しの状態で示す斜視図である。
【図８】図４に示した実施例の発明を、表示装置無しの状態で示す斜視図である。
【図９】図１に示した表示システムの実施例を示す斜視図である。
【図１０】図１に示した表示システムの実施例を示す別の斜視図である。
【図１１】図１に示した表示システムが含まれるバックパックを示す別の斜視図である。
【図１２】図１に示した表示システムの一実施例を示す概略図である。
【図１】
2007513369.tif 000003
【図２】
2007513369.tif 000004
【図３】
2007513369.tif 000005
【図４】
2007513369.tif 000006
【図５】
2007513369.tif 000007
【図６】
2007513369.tif 000008
【図７】
2007513369.tif 000009
【図８】
2007513369.tif 000010
【図９】
2007513369.tif 000011
【図１０】
2007513369.tif 000012
【図１１】
2007513369.tif 000013
【図１２】
2007513369.tif 000014
【国際調査報告】
2007513369.tif 000015
2007513369.tif 000016